(57)【要約】【課題】ケースと装置本体とを含めた記録装置全体としての大きさが大型化するという課題がある。【解決手段】用紙を保持する用紙カセット１２と、用紙を記録ヘッドに搬送する搬送ユニットと、記録ヘッドと搬送ユニットとを収容し、用紙カセット１２が挿入される筐体４と、筐体４の側面４ａに形成され、用紙カセット１２を挿入する開口部１３と、インクを収容するインク収容体と、筐体４の開口部１３が形成された側面４ａに隣接する側面４ｂ，４ｃに着脱可能に装着され、インク収容体３０を格納するケース５，６と、筐体４の下方に配置されて筐体４を支持する支持台９０と、インク収容体から筐体４の内部にインクを供給する供給部（接続チューブ）と、を備え、ケース５，６が筐体４と支持台９０とにわたって配置される記録装置を提供する。【選択図】図１
2015066823.tif 000002
【特許請求の範囲】
【請求項１】
液体を記録媒体に噴射可能な記録ヘッドと、
前記記録媒体を保持する記録媒体保持ユニットと、
前記記録媒体を前記記録ヘッドに搬送する搬送ユニットと、
前記記録ヘッドと前記搬送ユニットとを収容し、前記記録媒体保持ユニットが挿入される筐体と、
前記筐体の側面に形成され、前記記録媒体保持ユニットを挿入する挿入口と、
前記液体を収容する液体収容体と、
前記筐体の前記挿入口が形成された側面に隣接する少なくとも一方の側面に着脱可能に装着され、前記液体収容体を格納するケースと、
前記筐体の下方に配置されて前記筐体を支持する支持台と、
前記液体収容体から前記筐体の内部に前記液体を供給する供給部と、
を備え、
前記ケースが前記筐体と前記支持台とにわたって配置されることを特徴とする記録装置。
【請求項２】
請求項１に記載の記録装置であって、
前記支持台には、前記筐体の側面位置よりも外側に延在した延在部が一体的に形成され、前記延在部が前記ケースを支持することを特徴とする記録装置。
【請求項３】
請求項２に記載の記録装置であって、
前記ケースが両側に配置され、前記延在部は、前記筐体の両側の側面位置よりも外側に延在し、両側に配置された前記ケースの底部は、前記延在部によって支持されることを特徴とする記録装置。
【請求項４】
請求項２に記載の記録装置であって、
前記ケースが両側に配置され、両側に配置された前記ケースのうち、一方のケースの底部は前記延在部で支持され、他方のケースの下側には、前記他方のケースの底部を支持する支持体が配置されることを特徴とする記録装置。
【請求項５】
請求項４に記載の記録装置であって、
前記支持体と前記支持台の少なくとも一部が高さ方向で重なる位置に配置され、
前記支持台に設けられた凹部と、
前記支持体に設けられ、前記凹部に挿入されて係合する係合部と、をさらに備えたことを特徴とする記録装置。
【請求項６】
請求項４または請求項５に記載の記録装置であって、
前記延在部によって支持される前記一方のケースは、前記支持体によって支持される前記他方のケースより小さいことを特徴とする記録装置。
【請求項７】
請求項４から請求項６のいずれか一項に記載の記録装置であって、
前記延在部によって支持される前記一方のケースに格納される前記液体収容体には、モノクロインクの液体を収容することを特徴とする記録装置。
【請求項８】
請求項１から請求項７のいずれか一項に記載の記録装置であって、
前記筐体は、前記記録媒体保持ユニットとは異なる外部記録媒体保持ユニットを含み、前記支持台は、前記外部記録媒体保持ユニットを支持することを特徴とする記録装置。
【請求項９】
請求項１から請求項８のいずれか一項に記載の記録装置であって、
前記支持台には、指が掛かるための第１の指掛け部が形成されていることを特徴とする記録装置。
【請求項１０】
請求項５に記載の記録装置であって、
前記支持体には、指が掛かるための第２の指掛け部が形成されていることを特徴とする記録装置。
【請求項１１】
請求項１から請求項１０のいずれか一項に記載の記録装置であって、
高さ方向において、前記支持体の底面位置が前記支持台の底面位置と同じであることを特徴とする記録装置。
【請求項１２】
請求項８に記載の記録装置であって、
前記ケースは、前記外部記録媒体保持ユニットの高さに応じて伸縮可能であることを特徴とする記録装置。
【請求項１３】
請求項１から請求項１２のいずれか一項に記載の記録装置であって、
前記液体収容体が可撓性であることを特徴とする記録装置。
【発明の詳細な説明】
【技術分野】
【０００１】
本発明は、記録装置に関する。
【背景技術】
【０００２】
従来から、記録装置の一種として、記録ヘッドから用紙等に対してインクを噴射して印刷を行うインクジェット式プリンターが知られている。このようなインクジェット式プリンターにおいては、比較的大量の印刷を行う場合にプリンターヘッドへ連続的に安定してインクを供給するために、インクジェット式プリンターの本体装置とは別体に外部インク供給装置（液体供給装置）を備え、プリンターヘッドにインクを供給する構成が提案されている（例えば、特許文献１参照）。
このようなインクジェット式プリンターには、大容量のインクパック（液体収容体）を内部に収容したケースを本体装置に装着したものがある。
【先行技術文献】
【特許文献】
【０００３】
【特許文献１】特開２００９−２０２３４６号公報
【発明の概要】
【発明が解決しようとする課題】
【０００４】
しかしながら、ケース内には大容量のインクパックが収容されるため、ケースが大型化する。そのため、ケースと装置本体とを含めたインクジェット式プリンター全体としての大きさが大型化するという課題がある。
【課題を解決するための手段】
【０００５】
本発明は、上述の課題の少なくとも一部を解決するためになされたものであり、以下の形態または適用例として実現することが可能である。
【０００６】
［適用例１］液体を記録媒体に噴射可能な記録ヘッドと、前記記録媒体を保持する記録媒体保持ユニットと、前記記録媒体を前記記録ヘッドに搬送する搬送ユニットと、前記記録ヘッドと前記搬送ユニットとを収容し、前記記録媒体保持ユニットが挿入される筐体と、前記筐体の側面に形成され、前記記録媒体保持ユニットを挿入する挿入口と、前記液体を収容する液体収容体と、前記筐体の前記挿入口が形成された側面に隣接する少なくとも一方の側面に着脱可能に装着され、前記液体収容体を格納するケースと、前記筐体の下方に配置されて前記筐体を支持する支持台と、前記液体収容体から前記筐体の内部に前記液体を供給する供給部と、を備え、前記ケースが前記筐体と前記支持台とにわたって配置されることを特徴とする記録装置。
【０００７】
本適用例によれば、筐体の下方に配置されて筐体を支持する支持台を備え、ケースが筐体と支持台とにわたって配置される。これにより、ケースの上下方向の長さを長くできる。そのため、ケース内に収容される液体収容体の液体収容量を増加させることができるとともに、ケースの幅や奥行きの長さを短くできる。従って、ケースを含めた記録装置全体としての大きさが大型化することを抑制できる。
【０００８】
［適用例２］前記支持台には、前記筐体の側面位置よりも外側に延在した延在部が一体的に形成され、前記延在部が前記ケースを支持することを特徴とする上記記録装置。
【０００９】
本適用例によれば、延在部を介してケースを筐体に対して固定できるので、ケースと筐体とが一体化される。
【００１０】
［適用例３］前記ケースが両側に配置され、前記延在部は、前記筐体の両側の側面位置よりも外側に延在し、両側に配置された前記ケースの底部は、前記延在部によって支持されることを特徴とする上記記録装置。
【００１１】
本適用例によれば、延在部を介して両側のケースを筐体に対して固定できるので、ケースと筐体とが一体化される。
【００１２】
［適用例４］前記ケースが両側に配置され、両側に配置された前記ケースのうち、一方のケースの底部は前記延在部で支持され、他方のケースの下側には、前記他方のケースの底部を支持する支持体が配置されることを特徴とする上記記録装置。
【００１３】
本適用例によれば、筐体を支持する支持台における延在部によって一方のケースが支持されるので、一方のケースを筐体に対して固定できるとともに、他方のケースは支持体に支持されて、安定した姿勢で設置される。
【００１４】
［適用例５］前記支持体と前記支持台の少なくとも一部が高さ方向で重なる位置に配置され、前記支持台に設けられた凹部と、前記支持体に設けられ、前記凹部に挿入されて係合する係合部と、をさらに備えたことを特徴とする上記記録装置。
【００１５】
本適用例によれば、支持体は支持台に固定され、支持体に支持された他方のケースは筐体と一体化できる。
【００１６】
［適用例６］前記延在部によって支持される前記一方のケースは、前記支持体によって支持される前記他方のケースより小さいことを特徴とする上記記録装置。
【００１７】
本適用例によれば、記録装置が大型化することを抑制する。
【００１８】
［適用例７］前記延在部によって支持される前記一方のケースに格納される前記液体収容体には、モノクロインクの液体を収容することを特徴とする上記記録装置。
【００１９】
本適用例によれば、モノクロインクを使用する専用の記録装置とすることができる。
【００２０】
［適用例８］前記筐体は、前記記録媒体保持ユニットとは異なる外部記録媒体保持ユニットを含み、前記支持台は、前記外部記録媒体保持ユニットを支持することを特徴とする上記記録装置。
【００２１】
本適用例によれば、筐体に対するケースの底面の位置を下方にできるので、ケースの上下方向の長さを、さらに長くすることができる。そのため、ケース内に収容される液体収容体の液体収容量をさらに増加させることができる。
【００２２】
［適用例９］前記支持台には、指が掛かるための第１の指掛け部が形成されていることを特徴とする上記記録装置。
【００２３】
本適用例によれば、支持台に支持された記録装置を、使用者が持ち上げて移動させることができる。
【００２４】
［適用例１０］前記支持体には、指が掛かるための第２の指掛け部が形成されていることを特徴とする上記記録装置。
【００２５】
本適用例によれば、筐体の両側に備えられたケースと筐体とを、使用者が持ち上げて移動することができる。
【００２６】
［適用例１１］高さ方向において、前記支持体の底面位置が前記支持台の底面位置と同じであることを特徴とする上記記録装置。
【００２７】
本適用例によれば、両側のケースおよび筐体を姿勢が安定した状態で設置できる。
【００２８】
［適用例１２］前記ケースは、前記外部記録媒体保持ユニットの高さに応じて伸縮可能であることを特徴とする上記記録装置。
【００２９】
本適用例によれば、ケースの製造コストの増大を抑制できる。
【００３０】
［適用例１３］前記液体収容体が可撓性であることを特徴とする上記記録装置。
【００３１】
本適用例によれば、液体の消費に応じて液体収容体が収縮するので、液体収容体内部が負圧となってしまうことにより液体が記録ヘッド側に供給不可となることを防止できる。
【図面の簡単な説明】
【００３２】
【図１】記録装置の外観斜視図。
【図２】筐体の上部を取り外した状態における記録装置の斜視図。
【図３】インク収容体の斜視図。
【図４】（ａ）は、ケースの外観斜視図、（ｂ）は、ケースが筐体に装着された部分を正面側から見た図、（ｃ）は、支持体に設けられた凹部に支持台の突出部が挿入される部分を示す断面図。
【図５】実施形態２における記録装置の外観斜視図。
【図６】実施形態３における記録装置の外観斜視図。
【図７】高さが変動するケースの斜視図。
【発明を実施するための形態】
【００３３】
（実施形態１）
以下、記録装置の一実施形態について、図面に従って説明する。図１（ａ）は、本実施形態における記録装置としてのインクジェット式プリンター（以降は、プリンターと称する）１を正面左側から見た外観斜視図である。プリンター１は、インク（液体）を噴射して画像を形成する印刷部３、不図示の原稿などを読み取る読取部２、ケース５，６を備えている。印刷部３と読取部２とによって本体装置が構成される。
【００３４】
ケース５は、本体装置の筐体４の左側の側面４ｃに着脱可能に装着され、ケース６は、筐体４の右側の側面４ｂに着脱可能に装着される。ケース５，６には、インクを収容する液体収容体としてのインク収容体３０（図３参照）が格納される。ケース５は、モノクロインクを収容する一個のインク収容体３０を格納する。ケース６は、イエローインク、マゼンタインク、シアンインクのカラーインクをそれぞれ収容する３個のインク収容体３０を格納する。
【００３５】
読取部２は、印刷部３の上に配置されている。読取部２は、ガラスなどの透明板状部材によって形成された不図示の原稿台を備え、原稿台に載置された原稿を読み取ることが可能である。また、読取部２上には、不図示のヒンジ部を介して読取部２の後面における上端部に連結されるオートドキュメントフィーダー２８が配置されている。オートドキュメントフィーダー２８は、原稿載置部に積層された複数の原稿を一枚ずつ反転させながらガラスなどの透明板状部材によって形成された不図示の読取窓上に順次給送して原稿を読み取ることが可能である。
【００３６】
筐体４の正面側の側面４ａには、開口部１３が形成される。開口部１３における下側の領域には、記録媒体保持ユニットとしての用紙カセット１２が前後方向において挿抜可能に設けられる。すなわち開口部１３における下側の領域は、用紙カセット１２が筐体４に対して着脱自在に装着されるための挿入口となる。用紙カセット１２の上側には、印刷部３の内部で印刷された不図示の用紙が搬送される搬送路１１が設けられる。開口部１３における上側の領域は、印刷された用紙の排紙口が形成される。
【００３７】
用紙カセット１２には、複数の用紙が積層状態で載置される。用紙カセット１２に載置された用紙は、筐体４の内部に一枚ずつ供給され、印刷された用紙が開口部１３における上側に形成された排紙口から排出されて不図示の排紙トレイに載置される。
【００３８】
本体装置の正面側には、電源のＯＮ・ＯＦＦ操作や、印刷条件や読み取り条件の設定などを行うための操作ボタン１０が備えられる。また、本体装置の正面側には、印刷条件や読み取り条件を表示するための液晶パネルなどによって構成される表示部１９が備えられる。
【００３９】
筐体４およびケース５の下側には、支持台９０が、筐体４およびケース５に対して着脱可能に備えられる。支持台９０は、本体部９０ｂと、本体部９０ｂから左側に延びる延在部９０ａとから構成され、本体部９０ｂと延在部９０ａとは一体的に形成される。延在部９０ａは、筐体４の側面４ｃの位置よりも外側に延在している。
【００４０】
本体部９０ｂは、筐体４の下側に位置して筐体４を支持し、延在部９０ａは、ケース５の下側に位置してケース５を支持する。本体部９０ｂと延在部９０ａとの間には、段差が設けられ、延在部９０ａは、本体部９０ｂより低く形成される。
【００４１】
そのため、ケース５の底面の位置は、筐体４の底面の位置より低い位置にあり、ケース５の底面の位置は、支持台９０における本体部９０ｂの上端より低い位置にある。すなわち、ケース５は、筐体４および支持台９０にわたって配置される。
【００４２】
ケース６の下側には、支持体９１がケース６に対して着脱可能に備えられる。支持体９１は、支持台９０とは別体として形成される。支持体９１の支持面の高さは、本体部９０ｂより低い。そのため、ケース６の底面の位置は、筐体４の底面の位置より低い位置にあり、ケース６の底面の位置は、支持台９０における本体部９０ｂの上端より低い位置にある。すなわち、ケース６は、筐体４および支持台９０にわたって配置される。
【００４３】
ケース５，６の上面の位置は、読取部２の原稿台の位置より下側の位置にある。これにより、使用者が、オートドキュメントフィーダー２８を回動させて原稿台が露出した状態にし、原稿台に原稿を置いたり、原稿台から原稿を取り除いたりするときに、ケース５，６が支障とならない。
【００４４】
延在部９０ａの左側底部には、第１の指掛け部としての指掛け部９５が形成される。指掛け部９５は、延在部９０ａの底部の角部が前後方向に長く延びるようにして切り欠かれた切り欠き部である。使用者は、指掛け部９５に手の平を上向きにした状態で複数の指を侵入させて指を掛けることができる。
【００４５】
図１（ｂ）は、プリンター１を正面右側から見た外観斜視図である。支持体９１の右側底部には、第２の指掛け部としての指掛け部９６が形成される。指掛け部９６は、支持体９１の底部の角部が前後方向に長く延びるようにして切り欠かれた切り欠き部である。使用者は、指掛け部９６に手の平を上向きにした状態で複数の指を侵入させて指を掛けることができる。
【００４６】
また、支持台９０の本体部９０ｂの前側底部にも、左右方向に延びる切り欠き部が形成されて使用者の指が掛かるための指掛け部９０ｃを構成する。支持台９０の本体部９０ｂの後側底部にも、左右方向に延びる切り欠き部が形成されて使用者の指が掛かるための指掛け部（不図示）を構成する。
【００４７】
図２は、筐体４の上部を取り外した状態におけるプリンター１の斜視図である。搬送路１１の上方には、主走査方向である左右方向に往復移動可能なキャリッジ２１が設けられている。キャリッジ２１内には、キャリッジ２１の下面から露出するように、インクを噴射する記録ヘッド２０が備えられている。
【００４８】
印刷部３には、用紙を反転する不図示の反転ユニットが備えられ、搬送路１１の下側に備えられた用紙カセット１２内の用紙Ｐは、反転ユニットにより、一枚ずつ反転されながら搬送路１１上へ後側から給送される。
【００４９】
また、印刷部３には、不図示の、搬送ローラー、紙送りモーターなどを含んで構成される搬送ユニットが備えられ、搬送ユニットによって用紙Ｐが搬送路１１に沿って後側から前側に向かって搬送される。搬送される用紙Ｐに対して、キャリッジ２１に備えられて往復移動する記録ヘッド２０からインクを噴射することにより用紙Ｐに印刷が行われる。
【００５０】
前述したように、搬送路１１上で印刷された用紙Ｐは、開口部１３における用紙カセット１２よりも上側の領域によって構成される排紙口から順次排紙される。
【００５１】
前側が開口した矩形箱状をなすホルダーケース２４内には、左右方向に並ぶ４個の中空のインク供給針（不図示）が備えられている。
【００５２】
各インク供給針は、前後方向に延びるとともに、ホルダーケース２４の側壁を貫通している。可撓性のインク供給チューブ２５の一端側は、各インク供給針の後端部に接続され、インク供給チューブ２５の他端側は記録ヘッド２０に接続されている。
【００５３】
１本の可撓性の接続チューブ２２の一端側は、インク供給針の前端部と接続され、接続チューブ２２の他端側は、ケース５に格納されるインク収容体３０と接続される（図３参照）。
【００５４】
３本の可撓性の接続チューブ２３の一端側は、各インク供給針の前端部と接続され、接続チューブ２３の他端側は、ケース６に格納されるインク収容体３０と接続される（図３参照）。
【００５５】
図３は、インク収容体３０の斜視図である。インク収容体３０は、インクを収容するインク袋３３を備えている。インク袋３３における上端側には、支持部材（ハンガー部材）３２が固定されている。
【００５６】
インク袋３３は、２つの矩形状の可撓性フィルムの周縁に筒状のインク導出部（図示略）を挟んだ状態でこれら２つの可撓性フィルムの周縁同士を溶着することによって形成される。
【００５７】
インク収容体３０の上部には、弁体部（図示略）が設けられており、キャップ３１を押し下げる方向に回転させることによって弁体部が動作し、インク収容体３０の内部と接続チューブ２２，２３とが連通状態となる。
【００５８】
図２のケース５に収容されたインク収容体３０から接続チューブ２２、インク供給針、インク供給チューブ２５を介して、記録ヘッド２０にモノクロインクが供給される。また、ケース６に収容されたインク収容体３０から接続チューブ２３、インク供給針、インク供給チューブ２５を介して、記録ヘッド２０に、イエローインク、マゼンタインク、シアンインクのカラーインクがそれぞれ供給される。
【００５９】
図４（ａ）は、ケース６の外観斜視図である。ケース６には、インク収容体３０を収容する格納部３５が備えられる。格納部３５の下端は、固定部１５に固定される。格納部３５の上側が開口し、使用者はインク収容体３０を格納部３５内に取り付けたり、格納部３５内から取り出したりすることができる。
【００６０】
蓋体１４は、一点鎖線に示す回動軸３６を支点として矢印方向に回動可能に備えられる。蓋体１４の筐体４側は開口し、蓋体１４を図４（ａ）の状態から回動させて図１（ｂ）の閉じた状態とすることにより、蓋体１４は格納部３５を覆う。支持体９１は、固定部１５の下側に着脱可能に備えられる。
【００６１】
図４（ｂ）は、ケース６が筐体４に装着された部分を正面側から見た図で、蓋体１４、格納部３５は正面側から見た外観形状を示し、支持体９１は、突出部９１ｂが形成された部分における断面形状を示す。
【００６２】
支持体９１の筐体４側には、支持体９１の側面９１ａから突出する係合部としての突出部９１ｂが設けられる。支持台９０の本体部９０ｂには、側面４ｂから内側に窪む凹部９０ｄが形成される。
【００６３】
支持体９１の突出部９１ｂは、凹部９０ｄに挿入されて係合し、支持体９１は、不図示のネジなどの係合部材によって支持台９０に固定される。高さ方向において、支持体９１の底面の位置は、支持台９０の底面の位置と同じである。
【００６４】
図４（ｃ）は、支持体９１に設けられた凹部９１ｃに、支持台９０の本体部９０ｂに設けられた突出部９０ｅが挿入される部分を示す断面図である。尚、図４（ｃ）には、格納部３５を図示していない。図４（ｃ）に示すように、支持体９１に設けられた凹部９１ｃに本体部９０ｂに設けられた突出部９０ｅが挿入され、支持体９１が支持台９０の本体部９０ｂに係合する構成でもよい。
【００６５】
以上、本実施形態のプリンター１は、インクを用紙Ｐに噴射可能な記録ヘッド２０と、用紙Ｐを保持する用紙カセット１２と、用紙Ｐを記録ヘッド２０に搬送する搬送ユニットと、記録ヘッド２０と搬送ユニットとを収容し、用紙カセット１２が挿入される筐体４と、筐体４の側面４ａに形成され、用紙カセット１２を挿入する開口部１３と、インクを収容するインク収容体３０と、筐体４の開口部１３が形成された側面４ａに隣接する側面４ｂ，４ｃに着脱可能に装着され、インク収容体３０を格納するケース５，６と、筐体４の下方に配置されて筐体４を支持する支持台９０と、インク収容体３０から筐体４の内部にインクを供給する供給部（接続チューブ２２，２３）と、を備え、ケース５，６が筐体４と支持台９０とにわたって配置される。
【００６６】
この構成によれば、ケース５，６の上下方向の長さを長くできる。そのため、ケース５，６内に収容されるインク収容体３０のインク収容量を増加させることができるとともに、ケース５，６の幅や奥行きの長さを短くできる。従って、ケース５，６を含めたプリンター１全体としての大きさが大型化することを抑制できる。
【００６７】
また、支持台９０には、筐体４の側面４ｃの位置よりも外側に延在した延在部９０ａが一体的に形成され、延在部９０ａがケース５を下側から支持する。これによれば、延在部９０ａを介してケース５を筐体４に対して固定できるので、ケース５と筐体４とが一体化される。
【００６８】
本実施形態では、本体部９０ｂの片側に延びる延在部９０ａを形成したが、本体部９０ｂの両側に延びる延在部を形成してもよい。すなわち、ケース５，６が筐体４の両側に配置され、それぞれの延在部９０ａは、筐体４の両側の側面４ｂ，４ｃの位置よりも外側に延在し、両側に配置されたケース５，６の底部は、延在部によって支持される構成としてもよい。
【００６９】
これによれば、延在部を介して両側のケース５，６を筐体４に対して固定できるので、ケース５，６と筐体４とが一体化される。
【００７０】
また、図１（ａ）のケース５，６が筐体４の両側に配置され、両側に配置されたケース５，６のうち、ケース５の底部は延在部９０ａで支持され、ケース６の下側には、他方のケース６の底部を支持する支持体９１が配置される。
【００７１】
これによれば、筐体４を支持する支持台９０における延在部９０ａによってケース５が支持されるので、ケース５を筐体４に対して固定できるとともに、ケース６は支持体９１に支持されて、安定した姿勢で設置される。
【００７２】
また、図４（ｃ）の支持体９１と支持台９０（本体部９０ｂ）の一部とが高さ方向で重なる位置に配置され、本体部９０ｂには、内側に窪む凹部９０ｄが設けられ、支持体９１には外側に突出する係合部としての突出部９１ｂが設けられ、突出部９１ｂは、本体部９０ｂの凹部９０ｄに挿入されて係合する。これによれば、支持体９１は、本体部９０ｂに固定されて、支持体９１に支持されたケース６は筐体４と一体化できる。
【００７３】
また、ケース５内のインク収容体３０に収容するモノクロインクの使用量が、ケース６内のインク収容体３０に収容するカラーインクの使用量より少ない場合は、延在部９０ａによって支持されるケース５は、支持体９１によって支持されるケース６より小さくしてもよい。これによれば、プリンター１が大型化することを抑制する。
【００７４】
また、支持台９０には、指掛け部９５が形成されている。これによれば、使用者が指掛け部９５に指を掛け、ケース５および筐体４を一体化した状態で、使用者がプリンター１を持ち上げて移動させることができる。
【００７５】
また、支持体９１には、指掛け部９６が形成されている。支持体９１は、支持台９０に固定されている。これにより、一人または複数の使用者によって、指掛け部９５，９６に手の指を掛けて、ケース５，６と筐体４とを一体化した状態で、使用者がプリンター１を持ち上げて移動させることができる。
【００７６】
また、高さ方向において、支持体９１の底面位置が支持台９０の底面位置と同じである。これによれば、両側のケース５，６および筐体４を姿勢が安定した状態で設置できる。
【００７７】
また、インク収容体３０は、可撓性フィルムによってインク袋３３が構成される。これによれば、インクの消費に応じてインク収容体３０のインク袋３３が収縮するので、インク収容体３０内部が負圧となってしまうことによりインクが記録ヘッド２０側に供給不可となることを防止できる。
【００７８】
（実施形態２）
実施形態２では、筐体の一方の側にケースを備え、他方の側にはケースを備えない記録装置について説明する。図５は、実施形態２における記録装置の外観斜視図である。図５のプリンター１ａは、実施形態１で説明した図１（ｂ）のプリンター１の構成から支持体９１に支持されたケース６を取り外した構成である。
【００７９】
ケース５に収容されるインク収容体３０には、モノクロインクの液体を収容する。これによれば、プリンター１ａを、モノクロインクを使用する専用のプリンターとすることができる。プリンター１ａの他の構成は、実施形態１で説明したプリンター１の構成と同じである。
【００８０】
（実施形態３）
実施形態３では、外部記録媒体保持ユニットを備えた記録装置について説明する。図６は、実施形態３におけるプリンター１ｂの外観斜視図である。
【００８１】
プリンター１ｂは、実施形態１の印刷部３と読取部２によって構成される本体装置の下側に、外部記録媒体保持ユニットとしての増設カセットユニット５１を備える。増設カセットユニット５１は、筐体４の一部として構成される。増設カセットユニット５１には、前後方向に挿抜可能な用紙カセット５０が設けられる。用紙カセット５０には、用紙Ｐが積載され、図示しない給送ユニットによって用紙Ｐが１枚ずつ印刷部３に給送される。
【００８２】
増設カセットユニット５１およびケース５ａの下側には、増設カセットユニット５１およびケース５ａを支持する支持台９２が着脱可能に備えられる。支持台９２は、本体部９２ｂと、本体部９２ｂの左側に延在する延在部９２ａとを有し、一体的に形成される。延在部９２ａは、側面４ｃの位置より外側に延在する。
【００８３】
本体部９２ｂは、増設カセットユニット５１を支持し、延在部９２ａは、ケース５ａを支持する。本体部９２ｂと延在部９２ａとの間には段差が設けられており、延在部９２ａは本体部９２ｂより低い。そのため、ケース５ａの底面の位置は、増設カセットユニット５１の底面の位置より低く、本体部９２ｂの上端より低い位置にある。
【００８４】
ケース６ａの下側には、支持体９３がケース６ａに対して着脱可能に備えられる。支持体９３は、支持台９２とは別体として設けられる。支持体９３は、本体部９２ｂより低い。そのため、ケース６ａの底面の位置は、増設カセットユニット５１の底面の位置より低く、本体部９２ｂの上端より低い位置にある。
【００８５】
このような構成により、ケース５ａ，６ａは、筐体４から支持台９２にわたって配置される。そのため、ケース５ａ，６ａの底面の位置を低くできるので、ケース５ａ，６ａの上下方向の長さを、さらに長くすることができる。そのため、ケース５ａ，６ａ内に収容されるインク収容体３０のインク収容量をさらに増加させることができる。
【００８６】
実施形態１で説明した図１（ａ）の支持台９０および支持体９１によって増設カセットユニット５１、ケース５ａ、ケース６ａを下側から支持するようにしてもよい。これにより、支持台９０および支持体９１を共用できるので、プリンター１，１ａ，１ｂの製造コストの増加を抑制できる。
【００８７】
本体部９２ｂの前側底部には、角部が左右方向にわたって切り欠かれた切り欠き部が形成されており、使用者の指が掛かるための指掛け部９２ｃとして機能する。支持台９２の本体部９２ｂの後側底部にも、角部が左右方向にわたって切り欠かれた切り欠き部が形成されており、指掛け部９２ｄとして機能する。
【００８８】
これにより、一人または複数の使用者が指掛け部に手の指を掛けて、ケース５ａ，６ａと本体装置とを一体化した状態で、これらを持ち上げて移動することができる。
【００８９】
図７（ａ）〜（ｄ）は、高さが変動するケースの斜視図である。図７（ａ）のケース８０は、蓋体８３、蓋体８３およびインク収容体（不図示）を収容する格納部（不図示）を支持する固定部８４を有する。蓋体８３は、内側固定部８２と外側スライド部８１とから構成され、例えば図４の矢印方向に蓋体８３が回動して開閉するとき、内側固定部８２と外側スライド部８１とは一体化して動作可能である。
【００９０】
外側スライド部８１は、内側固定部８２より外側に位置し、内側固定部８２に対して上下方向にスライド可能に備えられる。図７（ｂ）は、図７（ａ）の外側スライド部８１を上方に移動させた状態を示し、図７（ｂ）の状態におけるケース８０は、図７（ａ）の状態におけるケース８０より高い。
【００９１】
このような構成により、ケース８０の高さを変動することができる。そのため、図１（ａ）の筐体４にケース８０を備えた場合や、図６の増設カセットユニット５１を備えた場合などの筐体４の高さの変動に応じて、ケース８０の蓋体８３を伸縮させて、ケース８０の高さを変動できる。また、高さが異なる増設カセットユニット５１の高さに応じて、ケース８０の蓋体８３を伸縮させて、ケース８０の高さを変動できる。
【００９２】
図７（ｃ）のケース８５は、蓋体８６、蓋体８６およびインク収容体（不図示）を収容する格納部（不図示）を支持する固定部８８を有する。蓋体８６は、例えば図４の矢印方向に回動して開閉する。蓋体８６には、上下方向に伸縮可能な所謂、蛇腹部８７が形成される。図７（ｄ）は、図７（ｃ）の蛇腹部８７を上下方向に収縮させた状態を示し、図７（ｄ）の状態におけるケース８５は、図７（ｃ）の状態におけるケース８５より高い。
【００９３】
図７（ｅ）のケース１００は、蓋体１０１、蓋体１０１を支持する固定部１０２を有する。蓋体１０１が蓋体１０１に対して回動することにより、使用者は、格納部（不図示）にインク収容体（不図示）を取り付けたり、取り外したりすることができる。
【００９４】
図７（ｆ）の中間固定部１０３は、矩形状の箱形状を有する。図７（ｆ）のケース１００は、蓋体１０１と固定部１０２との間に中間固定部１０３を備えた状態を示す。蓋体１０１は、中間固定部１０３に対して回動可能に支持される。図７（ｆ）の状態におけるケース１００は、図７（ｅ）の状態におけるケースより高い。
【００９５】
このように、本体装置側の高さに応じて、ケース８０，８５の高さを変動することができる。従って、本体装置側の高さに応じて個別にケースを備えなくてもよいので、ケースの製造コストの増大を抑制できる。
【符号の説明】
【００９６】
１，１ａ，１ｂ…インクジェット式プリンター、４…筐体、４ａ，４ｂ，４ｃ…側面、５，５ａ，６，６ａ，８０，８５…ケース、１２…用紙カセット、１３…開口部、１５ｂ…突出部、２０…記録ヘッド、２２，２３…接続チューブ、３０…インク収容体、５０…用紙カセット、５１…増設カセットユニット、９０…支持台、９０ａ，９２ａ…延在部、９０ｄ…凹部、９１，９３…支持体、９５，９６…指掛け部。
【図１】
2015066823.tif 000003
【図２】
2015066823.tif 000004
【図３】
2015066823.tif 000005
【図４】
2015066823.tif 000006
【図５】
2015066823.tif 000007
【図６】
2015066823.tif 000008
【図７】
2015066823.tif 000009